(57)【要約】【課題】被験者の瞼位置をより正確に計測すること。【解決手段】このタブレット端末１Ａは、被験者の瞼位置を計測する計測装置であって、被験者の眼球の角膜表面上に反射像を形成させる縦長の発光領域を生成するディスプレイ部３と、ディスプレイ部３により形成された反射像を撮像するカメラ５と、カメラ５によって取得された反射像の画像データを基に、反射像のサイズ或いは位置に関する反射像情報を導出し、反射像情報に基づいて瞼位置を計測する演算回路７と、を備える。【選択図】図１
2015107155.tif 000002
【特許請求の範囲】
【請求項１】
被験者の瞼位置を計測する計測装置であって、
被験者の眼球の角膜表面上に反射像を形成させる縦長の発光領域を生成する発光体と、
前記発光体により形成された前記反射像を撮像する撮像部と、
前記撮像部によって取得された前記反射像の画像データを基に、前記反射像のサイズ或いは位置に関する反射像情報を導出し、前記反射像情報に基づいて前記瞼位置を計測する演算部と、
を備える計測装置。
【請求項２】
前記演算部は、前記反射像情報として、前記反射像の面積、強度、長さ、及び長さの比のうち少なくとも１つを導出する、
請求項１記載の計測装置。
【請求項３】
前記演算部は、前記反射像情報として、前記反射像の特徴点の座標を導出する、
請求項１記載の計測装置。
【請求項４】
前記発光体は、帯状の発光領域を生成する、
請求項１〜３のいずれか１項に記載の計測装置。
【請求項５】
前記撮像部の光軸は、前記発光体と前記眼球とを結ぶ軸に対して前記角膜表面上で斜めに向くように設定される、
請求項１〜４のいずれか１項に記載の計測装置。
【請求項６】
前記撮像部と前記発光体としての表示装置とを備える端末装置であり、
前記表示装置は、画面上に前記発光領域を生成することにより前記発光体として機能する、
請求項１〜５のいずれか１項に記載の計測装置。
【請求項７】
被験者の瞼位置を計測する計測方法であって、
縦長の発光領域を生成する発光体を用いて、被験者の眼球の角膜表面上に反射像を形成させる照明ステップと、
前記照明ステップにより形成された前記反射像を撮像する撮像ステップと、
撮像ステップによって取得された前記反射像の画像データを基に、前記反射像のサイズ或いは位置に関する反射像情報を導出し、前記反射像情報に基づいて前記瞼位置を計測する演算ステップと
を備える計測方法。
【発明の詳細な説明】
【技術分野】
【０００１】
本発明は、被験者の瞼位置を計測する計測装置及び計測方法に関する。
【背景技術】
【０００２】
従来から、被験者の眼球動作を計測することで様々な疾患の診断等を目的とした計測方法の開発が進められている。例えば、下記特許文献１に記載された装置では、カメラによって取得された被験者の眼画像を対象にして、上下方向に濃度値の変化を観測し、瞼と眼球との間で濃度値が変化することを利用して瞼位置を計測する。また、下記特許文献２に記載の装置では、カメラで被験者の動画像を取得し、その動画像の明暗を基に上瞼と下瞼との組み合わせの候補となるエッジラインを抽出し、下記特許文献３に記載の装置では、被験者の目画像から輝度分布に基づいて濃淡変化を示す一次元画像を抽出し、その一次元画像を基に瞼と眼球との境界点を検出する。これらの装置は、いずれも被験者の画像を処理することにより、瞼位置を検出するものである。
【０００３】
一方、下記特許文献４に記載の装置では、被験者の目に当てた光の反射光及び散乱光の強度をセンサで検出することにより、瞼が開いた状態か閉じた状態かを示す信号を生成する。この装置では、エミッタとセンサとを内蔵する検出デバイスを備え、眼の表面では戻り光が弱く瞼の表面では戻り光が強いことを利用して、瞼が開いた状態か閉じた状態かを判別する。
【先行技術文献】
【特許文献】
【０００４】
【特許文献１】特開２０００−１０２５１０号公報
【特許文献２】特開２００８−２２６０４７号公報
【特許文献３】特開平７−３１３４５９号公報
【特許文献４】特表２００７−５３１５７９号公報
【発明の概要】
【発明が解決しようとする課題】
【０００５】
しかしながら、上述した特許文献１〜３に記載の装置における計測方法では、輝度値の変化で瞼の位置を計測する場合、瞼における散乱光の発生の影響、又は睫毛による影響により、正確な瞼位置の計測が困難になる傾向にあった。また、特許文献４に記載の装置では、瞼における光の散乱条件は肌の状態や化粧などで変化するため、正確に瞼位置を計測することは困難である。また、この装置では、睫毛による散乱光を検出してしまうため正確性が低下する。
【０００６】
そこで、本発明は、かかる課題に鑑みて為されたものであり、被験者の瞼位置をより正確に計測することが可能な計測装置及び計測方法を提供することを目的とする。
【課題を解決するための手段】
【０００７】
上記課題を解決するため、本発明の一形態に係る計測装置は、被験者の瞼位置を計測する計測装置であって、被験者の眼球の角膜表面上に反射像を形成させる縦長の発光領域を生成する発光体と、発光体により形成された反射像を撮像する撮像部と、撮像部によって取得された反射像の画像データを基に、反射像のサイズ或いは位置に関する反射像情報を導出し、反射像情報に基づいて瞼位置を計測する演算部と、を備える。
【０００８】
或いは、本発明の他の形態に係る計測方法は、被験者の瞼位置を計測する計測方法であって、縦長の発光領域を生成する発光体を用いて、被験者の眼球の角膜表面上に反射像を形成させる照明ステップと、照明ステップにより形成された反射像を撮像する撮像ステップと、撮像ステップによって取得された反射像の画像データを基に、反射像のサイズ或いは位置に関する反射像情報を導出し、反射像情報に基づいて瞼位置を計測する演算ステップとを備える。
【０００９】
このような計測装置、或いは計測方法によれば、縦長の発光領域の発光に応じて被験者の角膜表面上に反射像が形成され、その反射像が撮像される。そして、取得された反射像の画像データから反射像情報が導出され、その反射像情報から瞼位置が計測される。このように、角膜表面上の反射像を利用することで、被験者における散乱光を利用する場合に比較して、像が比較的明るくなりやすいため瞼位置の検出精度が向上する。また、睫毛による影響、光の散乱条件の変化による影響を受けにくい。従って、簡易な装置構成でより精度の高い瞼位置の検出が可能とされる。
【００１０】
演算部は、反射像情報として、反射像の面積、強度、長さ、及び長さの比のうち少なくとも１つを導出する、ことが好適である。こうすれば、角膜表面における反射像のうちで瞼によって隠される部分の割合が評価可能とされるので、簡易な評価方法で瞼位置を正確に計測することができる。
【００１１】
また、演算部は、反射像情報として、反射像の特徴点の座標を導出する、ことも好適である。かかる演算部の構成によっても、角膜表面における反射像のうちで瞼によって隠される部分の割合が評価可能とされるので、簡易な評価方法で瞼位置を正確に計測することができる。
【００１２】
発光体は、帯状の発光領域を生成する、ことが好適である。かかる構成を採れば、簡易な発光体の構成で瞼位置を正確に計測することができる。
【００１３】
また、撮像部の光軸は、発光体と眼球とを結ぶ軸に対して角膜表面上で斜めに向くように設定される、ことが好適である。こうすれば、角膜表面における反射像を撮像部によって確実に捉えることができる。
【００１４】
さらに、撮像部と発光体としての表示装置とを備える端末装置であり、表示装置は、画面上に発光領域を生成することにより発光体として機能する、ことが好適である。かかる構成を採れば、端末装置に複雑な機能部を追加することなしに、瞼位置を簡易に計測することができる。
【発明の効果】
【００１５】
本発明によれば、被験者の瞼位置をより正確に計測することができる。
【図面の簡単な説明】
【００１６】
【図１】本発明の好適な一実施形態に係る計測装置であるタブレット端末１Ａの機能構成を示すブロック図である。
【図２】図１のタブレット端末１Ａの外観を示す平面図である。
【図３】図１のディスプレイ部３から照射される散乱光の被験者の眼に対する様々な入射角度に対するカメラ５への散乱光の反射状態を示す側面図である。
【図４】被験者の瞼の閉じ具合が小さい場合のディスプレイ部３から照射される散乱光の被験者の眼に対する様々な入射角度に対するカメラ５への散乱光の反射状態を示す側面図である。
【図５】被験者の瞼の閉じ具合が大きい場合のディスプレイ部３から照射される散乱光の被験者の眼に対する様々な入射角度に対するカメラ５への発散光の反射状態を示す側面図である。
【図６】図１のタブレット端末１Ａによって制御される被験者Ｓに対するタブレット端末１Ａの配置状態を示す概念図である。
【図７】図１のタブレット端末１Ａによって制御される被験者Ｓに対するタブレット端末１Ａの配置状態を示す概念図である。
【図８】図１のタブレット端末１Ａによる瞼位置計測処理の動作手順を示すフローチャートである。
【図９】図１の演算回路７によって処理される被験者の眼画像の一例を示す図である。
【図１０】図１のディスプレイ部３に表示された計測結果の一例を示す図である。
【図１１】図１のディスプレイ部３に表示された計測結果及び外部受信情報の一例を示す図である。
【図１２】図１のタブレット端末１Ａのディスプレイ部３に生成される発光領域１３の形状の例を示す図である。
【図１３】本発明の変形例に係る計測装置１Ｂの外観構成を示す図である。
【図１４】本発明の変形例に係る計測装置１Ｃの外観構成を示す図である。
【図１５】本発明の変形例に係る計測装置１Ｄの外観構成を示す図である。
【発明を実施するための形態】
【００１７】
以下、添付図面を参照しながら本発明による計測装置及び計測方法の実施の形態を詳細に説明する。なお、図面の説明において同一の要素には同一の符号を付し、重複する説明を省略する。また、各図面は説明用のために作成されたものであり、説明の対象部位を特に強調するように描かれている。そのため、図面における各部材の寸法比率は、必ずしも実際のものとは一致しない。
【００１８】
図１は、本発明の好適な一実施形態に係る計測装置であるタブレット端末１Ａの機能構成を示すブロック図、図２は、タブレット端末１Ａの外観を示す平面図である。このタブレット端末１Ａは、被験者の瞼位置の計測が可能な情報処理端末であり、発光体として機能するディスプレイ部３、撮像素子を内蔵するカメラ（撮像部）５、演算回路（演算部）７、演算回路７で処理されるデータを外部との間で送受信するデータ送受信部９、及び演算回路７で処理されるデータを記憶するデータ格納部１１を備えて構成されている。
【００１９】
ディスプレイ部３は、いわゆる、タッチパネルディスプレイ装置であり、タブレット端末１Ａの筐体１４の外面中央に配置された画面３ａ上でユーザの指による画面操作が可能にされるとともに、画面３ａ上にデータ、画像等の表示が可能な表示装置である。このディスプレイ部３は、画面操作によって入力されたデータ或いは指示信号を演算回路７に引き渡すとともに、表示対象の文字データ、数値データ、及び画像データを演算回路７から受け取る。また、このディスプレイ部３は、被験者の瞼位置計測が実行されている際に、演算回路７から受け取ったデータに基づいて、画面３ａ上に図２に示すような画像を表示させる。すなわち、画面の中央に縦長の帯状の輝度が高い発光領域１３を生成するとともに、計測時の被験者の注視点を調整するためのマーカー（指標）１５を表示させる。これにより、瞼位置計測時には発光領域１３からは輝度の高い散乱光が照射させることになる。
【００２０】
カメラ５は、ＣＭＯＳ、ＣＣＤ等の撮像素子、及び撮像素子に像を結ぶための光学素子を内蔵する撮像装置であり、筐体１４の表面上の画面３ａの外側に配置され、その撮像光軸が筐体１４の表面からほぼ垂直に外側を向くように設定されている。このカメラ５は、瞼位置計測時に被験者の眼を撮像し眼画像を連続的に取得する。カメラ５は、その動作が演算回路７によって制御されるとともに、取得した眼画像に関する画像データを演算回路７に出力する。
【００２１】
演算回路７は、各種データを演算処理する回路部であり、瞼位置計測時にはカメラ５によって取得された画像データを対象に演算（以下、「瞼位置計測処理」という。）を行って計測結果を生成する。具体的には、演算回路７は、画像データを基に被験者の眼球の角膜表面上に形成された反射像を特定し、その反射像の眼画像上のサイズ或いは位置に関する反射像情報を導出する。さらに、演算回路７は、導出した反射像情報を基に瞼位置を計測し、その瞼位置を時系列に解析することによってまばたき特徴量を算出した後に、そのまばたき特徴量に対応する計測結果を取得する。また、演算回路７は、生成した計測結果をディスプレイ部３に表示させることが可能とされ、又は、データ送受信部９を介してインターネット等の外部に送信することも可能にされる。
【００２２】
データ送受信部９は、演算回路７によって生成された計測結果等のデータを移動体通信、無線ＬＡＮ通信等の無線通信を利用してインターネット等の外部に送信する。また、データ送受信部９は、外部から計測結果に対する診断結果等のデータを無線通信によって受信し、そのデータを演算回路７に引き渡すことも可能にされる。データ格納部１１は、演算回路７による演算処理において参照されるデータ、及び当該演算処理によって生成されたデータを格納するメモリ（記憶装置）である。
【００２３】
次に、タブレット端末１Ａにおいて被験者の角膜表面上の反射像を撮像するための配置条件について述べる。
【００２４】
図３は、ディスプレイ部３から照射される散乱光の被験者の眼に対する様々な入射角度に対するカメラ５への散乱光の反射状態を被験者の側面側から見た側面図である。同図に示すように、瞼位置計測時には、カメラ５の撮像光軸は、カメラ５と被験者の眼球Ｅの角膜Ｃの中心点Ｃ０とを結ぶ線Ｌ０に近づくように設定される。そのときに被験者の眼球Ｅの上側から散乱光ＬＢＵが照射された場合を想定すると、それらの散乱光ＬＢＵによって角膜Ｃの表面上に形成される反射像は、線Ｌ０より上側の経路ＲＵ１を経由してカメラ５に結像する。従って、カメラ５によって撮像される散乱光ＬＢＵの反射像は、被験者の眼画像における眼球の上方に現れる。一方、被験者の眼球Ｅの下側から散乱光ＬＢＤが照射された場合を想定すると、それらの散乱光ＬＢＤによって角膜Ｃの表面上に形成される反射像は、線Ｌ０より下側の経路ＲＤ１を経由してカメラ５に結像する。従って、カメラ５によって撮像される散乱光ＬＢＤの反射像は、被験者の眼画像における眼球の下方に現れる。
【００２５】
図４は、被験者の瞼の閉じ具合が小さい場合の散乱光の被験者の眼に対する様々な入射角度に対するカメラ５への散乱光の反射状態を示す側面図、図５は、被験者の瞼の閉じ具合が大きい場合の散乱光の被験者の眼に対する様々な入射角度に対するカメラ５への散乱光の反射状態を示す側面図である。図４に示すように、被験者の瞼が少し閉じた場合には、散乱光ＬＢＵの反射光の経路ＲＵ２の上方が遮られることになるので、カメラ５によって撮像される散乱光ＬＢＵの反射像はその上方が瞼の位置に対応した長さで欠けることになる。また、図５に示すように、被験者の瞼が大きく閉じた場合には、散乱光ＬＢＵの反射光は全て遮られカメラ５によっては検出されない。このとき、散乱光ＬＢＤの反射光の経路ＲＤ２の上方が遮られることになるので、カメラ５によって撮像される散乱光ＬＢＤの反射像はその上方が瞼の位置に対応した長さで欠けることになる。
【００２６】
上記の散乱光ＬＢＵ，ＬＢＤの反射状態を考慮して、タブレット端末１Ａによる瞼位置検出時には、瞼位置を精度よく計測するために、被験者に対するタブレット端末１Ａの配置状態が次のように設定される。すなわち、被験者の上眼瞼が瞳孔中心よりも上に有ることが事前に検出された場合には、被験者の正面方向よりも上側からディスプレイ部３からの散乱光が照射されるように設定される。それに対して、被験者の上眼瞼が瞳孔中心よりも下に有ることが事前に検出された場合には、被験者の正面方向よりも下側からディスプレイ部３からの散乱光が照射されるように設定される。これにより、瞼位置に対応してカメラ５に結像する被験者の角膜表面上の反射像の大きさ及び形状を変化させることができる。
【００２７】
このようなタブレット端末１Ａの配置状態の制御について具体的に説明する。図６及び図７は、タブレット端末１Ａによって制御される被験者Ｓに対するタブレット端末１Ａの配置状態を示す概念図である。図６に示すように、カメラ５によって取得された画像データにより被験者Ｓの上眼瞼Ｔａの位置が瞳孔中心よりも下にあることが検出された場合には、タブレット端末１Ａからの指示により、被験者Ｓから見て、カメラ５を上側に、ディスプレイ部３を下側に配置させるようにタブレット端末１Ａの持ち方が制御される。詳細には、ディスプレイ部３の生成する発光領域１３の中心と眼球Ｅとを結ぶ軸Ｌ２に対して、カメラの撮像光軸Ｌ１が眼球Ｅの角膜表面上で斜めに向くようにされ、かつ、発光領域１３からの散乱光が被験者Ｓの正面方向に対して下側から照射されるように制御される。これに対して、図７に示すように、カメラ５によって取得された画像データにより被験者Ｓの上眼瞼Ｔａの位置が瞳孔中心よりも上にあることが検出された場合には、タブレット端末１Ａからの指示により、被験者Ｓから見て、カメラ５を下側に、ディスプレイ部３を上側に配置させるようにタブレット端末１Ａの持ち方が制御される。詳細には、ディスプレイ部３の生成する発光領域１３の中心と眼球Ｅとを結ぶ軸Ｌ２に対して、カメラの撮像光軸Ｌ１が眼球Ｅの角膜表面上で斜めに向くようにされ、かつ、発光領域１３からの散乱光が被験者Ｓの正面方向に対して上側から照射されるように制御される。
【００２８】
以下、上述したタブレット端末１Ａによる瞼位置計測処理の動作手順について説明するとともに、本実施形態の計測方法について詳述する。図８は、タブレット端末１Ａによる瞼位置計測処理の動作手順を示すフローチャートである。
【００２９】
まず、被験者によりタブレット端末１Ａがカメラ５が眼部の正面に位置するように保持された状態で、所定の操作を契機にカメラ５により眼の周りの画像データが取得され、その後、演算回路７により、画像データ中から眼部が特定されその眼部の画像データが抽出される（ステップＳ０１）。この眼部の特定方法としては、ディスプレイ部３により一定周期で照明光を明滅させ、それに応じて時系列に得られる画像データ中の同期して輝度が明るくなる箇所を特定する方法が挙げられる。その際、既定の閾値以上の輝度を有する箇所を特定し、領域サイズを設定したうえで眼部の探索を行うことにより、探索速度を向上させることが可能である。或いは、演算回路７による眼部の特定は画像処理によって行われてもよい。すなわち、演算回路７により、カメラ５によって取得された被験者のカラー画像を対象に、眉毛の部位と鼻又は口の部位との間の眼部の領域が特定される。その際、眉毛の部位は、ＲＧＢの輝度がいずれも暗く、横に長く伸びた部位として検出され、口の部位は、Ｒの輝度がＧＢの輝度よりも明るく、一定の面積を有した部位として検出される。また、演算回路７により、被験者のモノクロ画像を対象に、二値化処理、及びエッジ抽出処理などが施された後に、顔の特徴情報と照らし合わせることで眼部が抽出されてもよい。
【００３０】
次に、演算回路７により、抽出された眼部を含む画像データを対象にして上眼瞼及び瞳孔の位置が検出され、上眼瞼が瞳孔中心より上側に有るか否かが判定される（ステップＳ０２）。この判定により、被験者の日常における瞼位置の特徴を得ることができる。このとき、上眼瞼の輝度は眼部の輝度よりも明るいという特徴を利用して上限瞼の位置が検出される。また、ここでの判定では、眼球表面を覆う上限瞼の面積の眼球の面積に対する割合を判定してもよい。瞼と眼部との区別は、上記のように輝度に基づいて行われてもよいし、ハフ変換やエッジ抽出のような画像処理によって行われてもよい。この判定の結果、上眼瞼が瞳孔中心より上側に有ると判定された場合には（ステップＳ０２；ＹＥＳ）、演算回路７により、被験者に対して、ディスプレイ部３が上でカメラ５が下になるように（図７に示す配置状態になるように）持つことが指示される（ステップＳ０３）。一方、上眼瞼が瞳孔中心より下側に有ると判定された場合には（ステップＳ０２；ＮＯ）、演算回路７により、被験者に対して、カメラ５が上でディスプレイ部３が下になるように（図６に示す配置状態になるように）持つことが指示される（ステップＳ０４）。このような指示は、ディスプレイ部３を利用した表示出力、スピーカを利用した音声出力により行われる。なお、演算回路７は、角膜反射光を生成する発光を行い、その結果、角膜反射光が生成されれば瞼が開いている（上がっている）状態と判断し、生成されなければ瞼が閉じている（下がっている）状態と判定しても良い。
【００３１】
その後、演算回路７により、ディスプレイ部３による発光領域１３からの散乱光の発光が開始されるとともに、カメラ５による被験者の眼部の撮像が開始され、カメラ５によって取得された画像データが瞼位置計測が可能な状態にあるか否かが判定される（ステップＳ０５）。ここでは、得られた被験者の画像の焦点が合っているか、眼画像中の散乱光の反射像が計測可能な位置にあるか（眼画像中の散乱光の反射像が隅に寄りすぎず、継続的な計測が可能な位置にあるか）、等が判定される。判定の結果、画像データが計測可能な状態に無いと判定された場合には（ステップＳ０５；ＮＯ）、画像の焦点及び撮像軸を調整するために、演算回路７により、被験者とカメラ５との距離及び位置関係を最適化するように指示される（ステップＳ１０）。さらに、演算回路７により、ディスプレイ部３の画面３ａ上のマーカー１５の位置が変更され、被験者に対して、注視点を眼画像中の反射像の位置を最適化するような位置に変更するように指示される（ステップＳ１１）。ステップＳ１０，Ｓ１１における指示は、ディスプレイ部３を利用した表示出力で行われてもよいし、スピーカを利用した音声出力により行われてもよい。次に、演算回路７により、眼画像中の反射像の安定した計測が可能にするために、ディスプレイ部３における発光領域１３の輝度及び形状が調整される（ステップＳ１２）。反射光からの瞼位置検出を平均的に安定化するためには、発光領域１３の形状を太く縦長にし、その輝度を明るくすることが好ましいが、被験者の眼球の状態（例えば、手術により眼球レンズが挿入された場合等）によってはこの限りではない。そこで、発光領域１３の太さ、輝度、及び形状が安定した計測が可能になるように変更される。その際、安定した計測の確保をするために、任意の設定期間内での反射像の位置又は輝度の変動幅を基に発光領域１３が調整される。また、形状の調整時には、リアルタイムに反射像の形状を参照しながら発光領域１３の形状を変更してもよいし、発光領域１３の形状を予め設定された形状に変更してもよい。その後、処理がステップＳ０５に戻される。
【００３２】
一方、ステップＳ０５での判定の結果、画像データが計測可能な状態に有ると判定された場合には（ステップＳ０５；ＹＥＳ）、演算回路７により、画像データを対象に瞼位置計測処理が開始される（ステップＳ０６）。すなわち、画像データを基に被験者の眼球の角膜表面上に形成された反射像が特定され、その反射像の眼画像上のサイズ或いは位置に関する反射像情報が導出される（ステップＳ０７）。図９には、演算回路７によって処理される被験者の眼画像の一例を示している。同図（ａ）には、被験者の上眼瞼Ｔａが開いた状態で取得される反射像Ｇｒの一例、同図（ｂ）には、被験者の上眼瞼Ｔａが小さく閉じた状態で取得される反射像Ｇｒの一例、同図（ｃ）には、被験者の上眼瞼Ｔａが大きく閉じた状態で取得される反射像Ｇｒの一例を示している。このように、眼画像中には黒目画像Ｇｂの内側に縦長の略長方形の反射像Ｇｒが形成され、その反射像Ｇｒの上端の欠け具合が上眼瞼の閉じ具合に対応している。
【００３３】
このような性質を利用して瞼位置を計測するために、演算回路７は、反射像情報を導出する。例えば、このような反射像情報としては、反射像Ｇｒの面積、全体の光量（発光強度）、縦方向の長さ、右辺と左辺の長さの比、上底と下底の長さの比、縦横比、時間経過に伴う縦方向の長さの比（縦方向の長さの変化）、重心座標（特徴点）、又は頂点座標の平均値（特徴点）が挙げられる。また、演算回路７は、反射像情報として、反射像Ｇｒを台形近似した際の上記数値、又は台形近似した際の上記数値の近似値と上記数値の実測値との差を求めてもよい。さらに、演算回路７は、反射像情報として、反射像Ｇｒを楕円近似した際の重心座標、反射像Ｇｒを楕円近似した際の長辺と短辺との長さの比、或いは、反射像Ｇｒを楕円近似した際の面積の近似値と面積の実測値との差を求めてもよい。
【００３４】
次に、演算回路７は、導出した反射像情報を基に瞼位置を計測し、その瞼位置を時系列に取得される画像データを対象に解析することによってまばたき特徴量を算出する（ステップＳ０８）。その後、演算回路７は、そのまばたき特徴量を基にデータ格納部１１に格納されたデータベースを参照し、まばたきに対応する計測結果を取得し、計測結果をディスプレイ部３の表示させる（ステップＳ０９）。図１０には、ディスプレイ部３に表示された計測結果の一例を示している。また、演算回路７は、計測結果をデータ送受信部９を介して外部に送信し、それに応じて外部から受信された外部受信情報をディスプレイ部３に表示させてもよい。図１１には、ディスプレイ部３に表示された計測結果及び外部受信情報の一例を示している。なお、まばたき特徴量としては以下のいずれかの算出値の平均値、中央値、又は標準偏差などの集計値を用いることができる。
・瞼の移動距離
・移動時の最大速度
・移動期間
・まばたき動作の間隔
または、以下のいずれかの条件によって選別されたまばたきの回数もまばたき特徴量として用いることができる。
・まばたき時の瞼移動距離閾値より短い移動量のまばたき
・まばたき時の瞼速度閾値より遅いまばたき
・まばたき時の期間閾値より短期間に行われたまばたき
【００３５】
以上説明したタブレット端末１Ａ及びそれを用いた瞼位置計測方法によれば、縦長の発光領域１３の発光に応じて被験者の角膜表面上に反射像が形成され、その反射像が撮像される。そして、取得された反射像の画像データから反射像情報が導出され、その反射像情報から瞼位置が計測される。このように、略球面である角膜表面上の反射像を利用することで、被験者における散乱光を利用する場合に比較して、像が比較的明るくなりやすいため瞼位置の検出精度が向上する。散乱光よりも明るい反射光を利用することにより、例えば、室内での計測の際に反射光の明るさがその他の眼部を含む周辺部よりも明るくなり、瞼位置の計測の安定性につながる。また、化粧のアイライン及びラメによる影響、皮膚の横しわによる影響、睫毛による影響、眼内レンズ等による光の散乱条件の変化による影響を受けにくい。従って、簡易な装置構成でより精度の高い瞼位置の検出が可能とされる。
【００３６】
また、タブレット端末１Ａは、帯状の面状発光体である発光領域１３をディスプレイ部３上に生成している。このように面光源を用いることで、被験者の角膜表面上に形成される反射像の大きさ及び形状を瞼位置に対応して変化させることができ、簡易な構成で瞼位置を高精度に求めることができる。これに対して、点光源を利用した場合は、角膜表面上には光点が形成されるのみとなり、その光点を遮る振れ幅のまばたきしか計測できず、検出するまばたき動作を適応的に変更することができないばかりか、睫毛によって光点が遮られてしまうと正確な計測が妨げられる。
【００３７】
また、瞼位置計測処理においては、演算回路７が反射像情報を導出するので、角膜表面における反射像のうちで瞼によって隠される部分の割合が評価可能とされ、簡易な評価方法で瞼位置を正確に計測することができる。また、演算回路７は反射像情報として反射像の重心座標、頂点座標等の特徴点の座標を利用することもできる。この場合でも、角膜表面における反射像のうちで瞼によって隠される部分の割合が評価可能とされ、簡易な評価方法で瞼位置を正確に計測することができる。
【００３８】
さらに、タブレット端末１Ａの制御により、被験者のタブレット端末１Ａの持ち方を最適に導くことができる。すなわち、カメラ５の光軸が発光領域１３と眼球とを結ぶ軸に対して角膜表面上で斜めに向くように設定され、かつ、被験者の日常の瞼位置に応じて被験者に対する発光領域１３からの散乱光の照射方向が設定される。こうすれば、角膜表面における反射像をカメラ５によって確実に捉えることができる。また、被験者１人により計測補助員等による補助を必要とすることなしに、瞼位置の計測が可能とされる。
【００３９】
また、演算回路７により、眼画像における反射像の位置を最適化するように被験者の視線が誘導される。これにより、カメラ５と被験者の眼部の中心とを結ぶ軸に対する上眼瞼位置を最適な位置に誘導でき、眼部に対する瞼位置をより正確に計測できる。
【００４０】
なお、本発明は、前述した実施形態に限定されるものではない。例えば、タブレット端末１Ａに代えて、据え置き型或いはノートブック型のコンピュータ端末、携帯電話機、スマートフォン等のカメラ及びデータ通信機能を有する他の情報処理端末を採用してもよい。また、本実施形態で実現される演算機能はソフトウェアによって実現されてもよいし、演算回路等のハードウェアで実現されてもよい。ハードウェアで実現する例としては、例えば、浜松ホトニクス社製のインテリジェントビジョンセンサ（ＩＶＳ）が用いられる。
【００４１】
また、タブレット端末１Ａのディスプレイ部３に生成される発光領域１３の形状としては、縦長であれば様々な形状及び大きさに変更されてよい。図１２（ａ）〜（ｅ）には、それぞれ、上部に発光領域に形状、下部にそれに対応して得られる眼画像上の反射像の形状を示している。例えば、発光領域１３の形状としては、図１２（ａ）に示すような長方形、図１２（ｂ）に示すような帯の中央がくびれた形状、図１２（ｃ）に示すような楕円形状、図１２（ｄ）、（ｅ）に示すような三角形が挙げられる。このような三角形の発光領域を形成することにより、反射像の縦方向の長さからだけではなく、横幅からも瞼位置を計測することができ、体動、装置位置、視線の移動による影響を低減した高精度の計測が実現される。
【００４２】
また、本発明は、据え置き型装置等の瞼位置計測のための専用装置であってもよい。図１３及び図１４には、本発明の変形例に係る計測装置１Ｂ，１Ｃの外観構成を示しており、それぞれの図において、（ａ）は正面図、（ｂ）は側面図である。図１３に示す計測装置１Ｂは、画像データを処理する演算部を内蔵するＣＭＯＳカメラ等のカメラ５Ｂと、カメラ５Ｂの撮像レンズの上下に分離して設けられた面発光源３Ｂを備えて構成される。図１４に示す計測装置１Ｃは、計測装置１Ｂの面発光源３Ｂを複数に分離された線状の発光源３Ｃに置換した例である。これらの計測装置１Ｂ，１Ｃのように、カメラ５Ｂ，５Ｃの撮像光軸に対する発光源３Ｂ，３Ｃの照射角度は角膜表面上で最適な反射像が得られるように様々に調整されうる。また、面発光源３Ｂ、発光源３Ｃの発光波長は被験者に対する影響が少ないように赤外領域に設定される。
【００４３】
また、本発明は、眼鏡型の計測装置であってもよい。図１５には、本発明の変形例に係る眼鏡型計測装置１Ｄの構成を示している。この眼鏡型計測装置１Ｄは、テンプルの部分に設けられて眼鏡レンズ１９の内側に向けて赤外光等の照明光を照射する発光部３Ｄと、眼鏡レンズ１９の内側の縦長に形成され、発光部３Ｄから照射された照明光を散乱することにより被験者の眼球Ｅに向く散乱光を形成する散乱膜１７と、ブリッジ付近に固定されて被験者の眼画像を取得するカメラ５Ｄとを備える。つまり、発光部３Ｄと散乱膜１７との組み合わせにより、縦長の発光領域を生成する発光体として機能する。なお、この散乱膜１７は、発光部３Ｄからの照明光を散乱する溝に変更されてもよいし、発光部３Ｄと散乱膜１７との代わりに、眼鏡レンズ１９の内側に有機ＥＬ（Electro-Luminescence）のような自発光体を設けてもよい。
【００４４】
また、上述した実施形態においては、瞼位置検出用の反射像を形成するための発光体以外に、角膜反射像を生成するためのＬＥＤ等の光源が別に設けられてもよい。このようにすれば、瞼位置計測処理においてその角膜反射像を参照点として反射像の上端位置を相対的に算出することができる。その結果、体動、装置位置、視線の移動による影響を低減した高精度の計測が実現される。
【００４５】
また、上述した実施形態の計測装置においては、加速度センサ、地磁気センサ、或いはジャイロセンサ等の各種センサを内蔵しておいて、センサの検出結果を基に瞼位置の計測結果を補正するようにしてもよい。例えば、センサによって得られた装置の傾き等の検出情報を用いて、計測中の体動、装置の傾き、或いは視線移動による反射光位置に対する影響の分離分析を行い、それらの影響による誤差を補正することにより測定精度を向上させることができる。
【符号の説明】
【００４６】
１…被験者、１Ａ…タブレット端末（計測装置）、１Ｂ，１Ｃ，１Ｄ…計測装置、３…ディスプレイ部（発光体）、３Ｂ，３Ｃ…発光源（発光体）、３Ｄ…発光部（発光体）、５，５Ｂ，５Ｃ，５Ｄ…カメラ（撮像部）、７…演算回路（演算部）、１３…発光領域、１７…散乱膜（発光体）、Ｅ…眼球、Ｌ１…撮像光軸、Ｌ２…軸、Ｓ…被験者、Ｔａ…上眼瞼。
【図１】
2015107155.tif 000003
【図３】
2015107155.tif 000004
【図４】
2015107155.tif 000005
【図５】
2015107155.tif 000006
【図６】
2015107155.tif 000007
【図７】
2015107155.tif 000008
【図８】
2015107155.tif 000009
【図１０】
2015107155.tif 000010
【図１１】
2015107155.tif 000011
【図１３】
2015107155.tif 000012
【図１４】
2015107155.tif 000013
【図１５】
2015107155.tif 000014
【図２】
2015107155.tif 000015
【図９】
2015107155.tif 000016
【図１２】
2015107155.tif 000017